(57)【要約】【課題】  洗浄用ブラシとして、洗浄に使用後の毛に付着する水の量が少なく、ブラシを振ることによる水切れがよく、短時間で乾燥できるため、黴や雑菌が繁殖しにくいものを提供する。【解決手段】  ブラシ甲部１にシリコーン系物質を配合した熱可塑性樹脂材料からなる毛３ａが植設されてなる。【選択図】        図１
2005040491.tif 000002
【特許請求の範囲】
【請求項１】
ブラシ甲部にシリコーン系物質を配合した熱可塑性樹脂材料からなる毛が植設されてな
る洗浄用ブラシ。
【請求項２】
毛が熱可塑性樹脂１００重量部に対してシリコーン系物質を２〜１０重量部配合した熱
可塑性樹脂材料からなる請求項１記載の洗浄用ブラシ。
【請求項３】
毛の熱可塑性樹脂がポリプロピレン又はポリエチレンテレフタレートである請求項１又
は２に記載の洗浄用ブラシ。
【発明の詳細な説明】
【技術分野】
【０００１】
この発明は、浴室、洗面所、トイレ等のタイル面や陶器面及び備品の洗浄、厨房におけ
る調理具や食器類及び流しの洗浄、自動車の車体やタイヤの洗浄、種々の機械装置、塔槽
類、部品及び製品の洗浄等、様々な器物の水を使った洗浄に用いるブラシに関する。
【背景技術】
【０００２】
洗浄用ブラシとして、ブラシ甲部に獣毛や合成樹脂の毛を植設したものが汎用されてい
るが、洗浄対象や使い方の違い、更には意匠的効果も含めて、毛の長さ、密度、太さ、硬
さ、植設範囲、ブラシ甲部や柄の形状及び大きさ等が異なる多種多様なものがある。
【発明の開示】
【発明が解決しようとする課題】
【０００３】
獣毛や合成樹脂の毛を備える洗浄用ブラシでは、洗浄に使用後、毛の部分に多量の水が
付着しており、ブラシを強く振っても充分には水切れせず、乾燥するのに長時間を要する
ことから、乾燥するまでの湿潤状態の間に黴や雑菌が繁殖して不衛生になり易いという問
題があった。
【０００４】
従来、洗浄用ブラシについては、かかる水切れ性の改善のためには、せいぜいブラシ毛の植設密度を粗いものにする程度の配慮しかなされておらず、ブラシ毛そのものを水切れ性に優れたものにするというような考慮は払われていなかったのが実情である。
【０００５】
この発明は、上述の事情に鑑みて、洗浄用ブラシとして、洗浄に使用後の毛に付着する
水の量が少なく、且つブラシを振ることによる水切れがよく、もって短時間で乾燥できる
ため、黴や雑菌が繁殖しにくいものを提供することを目的としている。
【課題を解決するための手段】
【０００６】
本発明は以下の手段を提供する。
〔１〕  ブラシ甲部にシリコーン系物質を配合した熱可塑性樹脂材料からなる毛が植設
されてなる洗浄用ブラシ。
【０００７】
〔２〕  毛が熱可塑性樹脂１００重量部に対してシリコーン系物質を２〜１０重量部配
合した熱可塑性樹脂材料からなる洗浄用ブラシ。
【０００８】
〔３〕  毛の熱可塑性樹脂がポリプロピレン又はポリエチレンテレフタレートである洗
浄用ブラシ。
【発明の効果】
【０００９】
〔１〕の発明によれば、ブラシの毛が含有するシリコーン系物質によって高い撥水性を
示すため、洗浄に使用後のブラシは、毛の間に付着した水の量が少ない上、その付着した
水もブラシを振ることによって毛から容易に振り落とすことができ、もって短時間で乾燥
可能であるから、黴や雑菌の繁殖による不衛生化を防止できる。
【００１０】
しかも、ブラシの毛にシリコーン系物質がいわゆる練り込みによって含有されているものであるから、表面部にシリコーン系物質を塗布ないし被覆したような場合と異なり、上記の高い撥水性を恒久的に持続せしめることができ、長期に亘って上記の優れた効果を保有せしめることができる。
【００１１】
〔２〕の発明によれば、ブラシの毛は、これを構成する熱可塑性樹脂材料に適量のシリ
コーン系物質が含まれることから、高い撥水性と合成樹脂毛としての充分な強度を備え、
且つ製造容易なものとなる。
【００１２】
〔３〕の発明によれば、ブラシの毛は、高い撥水性を備えて、且つ適度の剛性を有するものとなる。
【発明を実施するための最良の形態】
【００１３】
図１は、この発明に係る洗浄用ブラシの一構成例を示す。この洗浄用ブラシは、ブラシ
甲部（１）と、柄部（２）と、ブラシ甲部（１）の片面に縦横略一定間隔置きに植設され
た毛束（３）とで構成されている。しかして、毛束（３）は、各々シリコーン系物質を配
合した熱可塑性樹脂材料からなる毛（３ａ）の多数本を同方向に揃えて束にしたものから
なる。また、ブラシ甲部（１）と柄部（２）は半硬質合成樹脂の一体成形物からなる。
このような洗浄用ブラシにあっては、毛（３ａ）が含有するシリコーン系物質によって
強い撥水性を示すことから、所要の洗浄作業に使用後、濯ぎ水から離した段階で毛束（３
）に含まれる水の量が少なくなり、更にブラシを振った際の水切り性がよいため、残留し
ていた水を容易に振り落とすことができる。従って、使用後の洗浄用ブラシを強く振って
水切り操作した上で放置乾燥あるいは加熱乾燥を行えば、僅かな残留水分が短時間で蒸発
して完全乾燥に至り、湿潤状態の時間が短いために黴や雑菌の繁殖を生じにくく、もって
該洗浄用ブラシを清潔に保つことができる。
【００１４】
ここで、毛（３ａ）に使用する熱可塑性樹脂としては、特に制約はなく、ポリプ
ロピレン（ＰＰ）、ポリエチレンテレフタレート（ＰＥＴ）、ポリエチレン（ＰＥ）、ポ
リスチロール（ＰＳ）、ポリ塩化ビニル（ＰＶＣ）等が挙げられる。しかして、これらの
中でもポリプロピレン（ＰＰ）とポリエチレンテレフタレート（ＰＥＴ）は、剛性の大き
いフィラメントを形成できるから、洗浄用ブラシとして好適な毛脚が硬く高強度の毛が得
られる。
【００１５】
毛（３ａ）の熱可塑性樹脂に配合するシリコーン系物質としては、重合度５０〜１００
００のシリコーンオイル、シリコーンゴム、高重合度のシリコーン樹脂微粉末等が挙げら
れる。その具体例としては、ジメチルポリシロキサン、このジメチルポリシロキサンのメ
チル基の一部が水素、フェニル基、ハロゲン化フェニル、ハロゲン化アルキル、フルオロ
エステル、ビニル、シアノプロピル、ヒドロキシ基等の１種または２種以上と置換された
ポリオルガノシロキサン、反応性シロキサン等がある。なお、シリコーン系物質は、重合
度が低いものでは揮発性があって成形時の耐熱性に問題を生じるため、重合度の高いもの
が望ましい。
【００１６】
このようなシリコーン系物質の配合量は、前記の熱可塑性樹脂１００重量部に対して２
〜１０重量部の範囲が好適である。すなわち、この配合量が少な過ぎては毛（３ａ）に充
分な撥水性を付与できない。逆に、この配合量が多過ぎても、より以上の撥水性の向上は
認めれず、熱可塑性樹脂の比率低下によってブラシ毛としての強度が低下する。
【００１７】
熱可塑性樹脂に対してシリコーン系物質を配合するには、ベースとなる熱可塑性樹脂に
シリコーン系物質を直接に添加混合することも可能であるが、少量のシリコーン系物質を
熱可塑性樹脂のベース全体に偏りなく均一混合する上で、マスターバッジ方式を採用する
のがよい。すなわち、このマスターバッジ方式では、ベースの熱可塑性樹脂と同じ樹脂、
もしくはベースの熱可塑性樹脂との相溶性のよい他の熱可塑性樹脂を用い、この樹脂粉末
とシリコーン系物質とを同量程度で溶融混合し、固化した溶融物を粉砕して粉末化したも
のをベースの熱可塑性樹脂の粉末と混合し、溶融混合（ベースの熱可塑性樹脂がペースト状であるときはペースト混合）を経て常法に準じて所要の太さのモノフィラメント糸を紡糸する。
【００１８】
なお、上記のマスターバッジ方式において、ベースの熱可塑性樹脂との相溶性のよい他
の熱可塑性樹脂の具体例としては、ベースの熱可塑性樹脂がポリプロピレン（ＰＰ）であ
るときのポリエチレン（ＰＥ）、同ポリエチレンテレフタレート（ＰＥＴ）であるときの
ポリエチレン（ＰＥ）、同ポリスチロール（ＰＳ）であるときのＡＢＳ樹脂、同ポリ塩化
ビニル（ＰＶＣ）であるときのポリエチレン（ＰＥ）等が挙げられる。
【００１９】
この発明の洗浄用ブラシは、ブラシ甲部にシリコーン系物質を配合した熱可塑性樹脂材
料からなる毛が植設されたものであればよく、図１で例示した以外の様々な構成を採用で
き、毛の長さ、密度、太さ、硬さ、ブラシ甲部及び柄部の形状、大きさ等は洗浄対象（用
途）に応じて種々設定でき、例えば、ブラシ甲部の全周に毛を植設したものや、柄部のな
いものも包含する。
【実施例】
【００２０】
実施例１
図１の構成において、ブラシ甲部（１）及び柄部（２）を樹脂成形
物とし、毛（３ａ）として、ポリプロピレン（ＰＰ）にシリコーン系物質（シリコーンオイル）を後記表１に示す異なる割合で配合した５種のフィラメント
を用い、各フィラメントの７０本を束ねた毛束（３）をブラシ甲部（１）に縦方向１１ｍ
ｍピッチで１４列、横方向１０ｍｍピッチで６列に植設して洗浄用ブラシＡ１〜Ａ５を
作製した。なお、合成樹脂毛（３ａ）１本の太さは約０．３ｍｍ、毛束（３）におけ
る毛（３ａ）の長さは約２５ｍｍであり、またブラシ甲部（１）及び柄部（２）を構成
する樹脂成形物の重量は全て６４．２ｇであった。
【００２１】
〔撥水効果確認試験１〕
実施例１で作製した洗浄用ブラシＡ１〜Ａ５について、全体を水中に浸漬し、軽く動か
して毛束（３）内の空気を離脱させた上で当該水中で５分以上放置したのち、水平状態に
保って水中から引き上げる方法により、その引き上げ直後、引き上げ３秒後、水切り後の
重量を各々別途に３回測定し、測定重量と乾燥状態の重量との差から付着水分重量及び毛
に対する水分付着率（重量％）を求めた。その結果を、各洗浄用ブラシの乾燥状態おける
全重量及び毛（３ａ）の重量、毛のシリコーン系物質配合量（ポリプロピレンに対する重
量％）と共に表１に示す。なお、測定重量は、各段階での水に濡れた洗浄用ブラシを容器
に収容し、この容器ごと重量を測定し、その測定値から容器重量を差し引いた値である。
また、水切り後の重量は、水中から引き上げた洗浄用ブラシの柄部を治具に固定し、水滴
の落下間隔が３０秒を越えた時点で容器に移し、上記同様に測定した。
【００２２】
【表１】
2005040491.tif 000003
【００２３】
表１の結果から、ポリプロピレンにシリコーン系物質を２重量％以上配合した毛を備え
る洗浄用ブラシＡ４及びＡ５は、シリコーン系物質を配合しないポリプロピレンのみから
なる毛を備える洗浄用ブラシＡ１に比較し、水中から取り出した状態での水分付着量が大
幅に低減していることが明らかである。しかるに、毛のシリコーン系物質配合量が少な過
ぎる場合（洗浄用ブラシＡ２，Ａ３）は、撥水効果が殆ど得られないことが判る。
【００２４】
実施例２
ブラシ甲部（１）及び柄部（２）を実施例１と同様の樹脂成形物とし、毛（３ａ）とし
て、ポリエチレンテレフタレート（ＰＥＴ）に実施例１と同様のシリコーン系物質（シリコーンオイル）を後記
表２に示す異なる割合で配合した５種のフィラメントを用い、各フィラメントの７０本を
束ねた毛束（３）をブラシ甲部（１）に縦方向１１ｍｍピッチで１４列、横方向１０ｍｍ
ピッチで６列に植設して洗浄用ブラシＢ１〜Ｂ５を作製した。なお、合成樹脂毛（３ａ
）１本の太さは約０．３ｍｍ、毛束（３）における毛（３ａ）の長さは約２５ｍｍ
である。
【００２５】
〔撥水効果確認試験２〕
実施例１及び実施例２で作製した洗浄用ブラシＡ１〜Ａ５，Ｂ１〜Ｂ５について、それ
ぞれ柄部（２）を両面テープで支持板に固定した状態で、支持板ごと乾燥重量（第一測定
値）を測定し、次いでブラシ甲部（１）を水中に入れ、水を掻き回して毛束（３）内の空
気を離脱させた上で、ゆっくり水中から引き上げ、水の滴りが切れたのちに支持板ごと重
量（第二測定値）を測定し、続いてブラシが略垂直に立った状態で支持板をバイスに固定
し、このブラシの柄部（２）に指を掛けて強制的に柄部（３）が湾曲するように傾け、ブ
ラシ先端が規定位置に来たときに指を離してブラシを弾性復元力で元の垂直状態に振り戻
らせ、もって付着水を振り落とさせたブラシを支持板ごとバイスから外して重量（第三測
定値）を測定した。そして、第一測定値と第二測定値との差から初期付着水分量を、第二
測定値と第三測定値との差から振り落ち水分量を、第一測定値と第三測定値との差から残
留水分量を、それぞれ各３回の測定の平均値として求めた。その結果を各ブラシの毛（３
ａ）のシリコーン系物質配合量（ポリプロピレン又はポリエチレンテレフタレートに対す
る重量％）及び重量と共に表２に示す。
【００２６】
【表２】
2005040491.tif 000004
【００２７】
表２の結果から、ポリプロピレンあるいはポリエチレンテレフタレートにシリコーン系
物質を２重量％以上配合した毛を備える洗浄用ブラシＡ４，Ａ５，Ｂ４，Ｂ５は、シリコ
ーン系物質を配合しないポリプロピレンあるいはポリエチレンテレフタレートのみからな
る毛を備える洗浄用ブラシＡ１，Ｂ１に比較し、水中から取り出した状態での水分付着量
が大幅に低減することに加え、ブラシを振った際の水切り性がよいことが判る。従って、
この発明に係る洗浄用ブラシは、洗浄に使用後に振る操作を行うことによって残留水分が
極めて僅かになり、短時間で自然乾燥できることが明らかである。ただし、毛のシリコー
ン系物質配合量が少な過ぎる場合（洗浄用ブラシＡ２，Ａ３，Ｂ２，Ｂ３）は、水切り性
の改善効果が少ないことが判る。
【図面の簡単な説明】
【００２８】
【図１】この発明に係る洗浄用ブラシの一構成例を示す斜視図である。
【符号の説明】
【００２９】
１  ：ブラシ甲部
２  ：柄部
３  ：毛束
３ａ：毛
【図１】
2005040491.tif 000005